(57)【要約】【課題】屋外設置機器を雨水または埃などの外的要因から有効に防ぎ、かつ美観性およびメンテナンス時の作業性に優れた屋外設置機器の筐体を提供する。【解決手段】パワーコンディショナの筐体５０は、開口部４が設けられた側面６５ｂを有し、パワーコンディショナを収容する外箱６５と、開口部４を塞ぐための蓋６６とを備える。外箱６５は、外箱６５の上面６５ａ側で、かつ開口部４を規定する外周縁部５に設けられて、外箱６５の外側に突出して延びる板部材７を含み、蓋６６は、板部材７と対向する位置に設けられた板部材１０を含む。外箱６５の開口部４を蓋６６で塞いだ状態において、板部材７および１０が板部材７および１０の延びる方向に沿って密着する。【選択図】　　　　図９
2004031481.tif 000002
【特許請求の範囲】
【請求項１】
開口部が設けられた側面を有し、屋外設置機器を収容する外箱と、
前記開口部を塞ぐための蓋体とを備え、
前記外箱は、前記外箱の上面側で、かつ前記開口部を規定する外周縁部に設けられて、前記外箱の外側に突出して延びる第１の突条部を含み、
前記蓋体は、前記第１の突条部と対向する位置に設けられた第２の突条部を含み、
前記外箱の前記開口部を前記蓋体で塞いだ状態において、前記第１および第２の突条部が前記第１および第２の突条部の延びる方向に沿って密着する、屋外設置機器の筐体。
【請求項２】
前記外周縁部は、前記開口部を取り囲むように形成され、かつ前記開口部が設けられた前記側面から突出するように設けられたリブ状体により構成される、請求項１に記載の屋外設置機器の筐体。
【請求項３】
前記第１の突条部は、前記第１の突条部が設けられた前記外周縁部の一方端から他方端まで延びている、請求項１または２に記載の屋外設置機器の筐体。
【請求項４】
前記第１または第２の突条部は、前記外箱の前記開口部を前記蓋体で塞ぐ時に、他方の突条部を案内する部分を含む、請求項１から３のいずれか１項に記載の屋外設置機器の筐体。
【請求項５】
前記蓋体は、前記開口部と対向する面とは別の面に設けられて、前記蓋体を前記外箱に固定する第１の固定手段をさらに含む、請求項１から４のいずれか１項に記載の屋外設置機器の筐体。
【請求項６】
屋外設置機器は、保全作業を行なう必要がない本体部と、保全作業を行なう必要があるメンテナンス部とを備え、前記蓋体は、前記本体部を塞ぐ第１の部分と、前記メンテナンス部を塞ぐ第２の部分とを含む、請求項１から５のいずれか１項に記載の屋外設置機器の筐体。
【請求項７】
前記第１の部分を前記外箱に固定する第２の固定手段は、前記第２の部分によって覆われている、請求項６に記載の屋外設置機器の筐体。
【請求項８】
前記第２の部分は前記第１の部分より下方に設けられ、前記第１および第２の部分の各々は互いに対峙する先端部を有し、前記第２の部分の先端部は前記筐体の内部に向って曲げられて傾斜面を形成しており、前記第１の部分の先端部を延長した線上に前記傾斜面が位置する、請求項６または７に記載の屋外設置機器の筐体。
【請求項９】
屋外設置機器は、パワーコンディショナである、請求項１から８のいずれか１項に記載の屋外設置機器の筐体。
【発明の詳細な説明】
【０００１】
【発明の属する技術分野】
この発明は、一般的には屋外設置機器の筐体に関し、たとえば、太陽光発電システム用または燃料電池発電システム用パワーコンディショナなどの筐体に関する。
【０００２】
【従来の技術】
電気機器または通信機器などが諸事情により屋外に設置される場合があり、たとえばこのような屋外設置機器として太陽光発電システム用パワーコンディショナが挙げられる。太陽電池は、有害な物質を排出しないシンプルでクリーンなエネルギ源として知られており、太陽光が照射されると直流電源として動作し直流電力を出力する。太陽光発電システム用パワーコンディショナは、太陽電池で生成した直流電力を交流電力に変換して、一般交流負荷または既存の商用電力系統に電力を供給する役割を果たす。しかし、太陽電池は、住宅の屋根の上など太陽光を受ける場所に設置されるため、太陽光発電システム用パワーコンディショナも同様に屋外に設置される場合が多くなっている。
【０００３】
このような屋外設置機器を、雨水、埃または衝撃といった外的要因から保護するため、屋外設置機器を収容する筐体が用いられる。図１３は、従来技術の屋外設置パワーコンディショナの筐体を示す斜視図である。
【０００４】
図１３を参照して、屋外設置パワーコンディショナの筐体１０１は、パワーコンディショナを収容する外箱１０２および蓋１０３を備える。外箱１０２は、側面方向の一面が開口しており、この開口を塞ぐために蓋１０３が用いられる。外箱１０２の開口正面側から複数のねじ１０４を用いて、蓋１０３を外箱１０２へ止め付ける。
【０００５】
図１４は、図１３中の外箱に収容された屋外設置パワーコンディショナを示す正面図である。図１４を参照して、外箱１０２には、商用電力系統１０９および直流電源１０８からの配線を接続するための入出力端子台１０７、ならびに直流電力を交流電力に変換するための電力変換部１０６が収容されている。直流電源１０８および商用電力系統１０９からの配線接続を工事する場合には、ねじ１０４を緩めて蓋１０３を外箱１０２から取り外し作業が行なわれる。
【０００６】
【発明が解決しようとする課題】
しかし、従来技術の屋外設置パワーコンディショナの筐体１０１では、外箱１０２および蓋１０３の取付面の隙間から雨水などが内部に浸入すること防止するため、止め付け用のねじ１０４の使用本数を増やして外箱１０２および蓋１０３の密着度を大きくする必要がある。このようにねじ１０４の使用本数を増やすと、製造コストが上がり、また外箱１０２に蓋１０３を取り付ける作業性が低下するという問題が発生する。
【０００７】
また、屋外設置パワーコンディショナの筐体１０１では、ねじ１０４による蓋１０３の止め付けを筐体１０１の正面側から行なっているため、筐体１０１の美観が損なわれるという問題が発生する。
【０００８】
さらに、配線接続を工事するため蓋１０３を外箱１０２から取り外す場合に、蓋１０３の大きさが外箱１０２の開口と同じ大きさであるため電力変換部１０６が剥き出しの状態となる。このような状態で配線接続の工事を行なえば、作業者が誤って電力変換部１０６に接触したり傷付けたりするおそれがある。また、配線接続の作業中に、外箱１０２の内部に埃などの異物が混入する可能性も増大する。
【０００９】
そこで、この発明の目的は、上記の課題を解決することであり、屋外設置機器を雨水または埃などの外的要因から有効に防ぎ、かつ美観性およびメンテナンス時の作業性に優れた屋外設置機器の筐体を提供することである。
【００１０】
【課題を解決するための手段】
この発明に従った屋外設置機器の筐体は、開口部が設けられた側面を有し、屋外設置機器を収容する外箱と、開口部を塞ぐための蓋体とを備える。外箱は、外箱の上面側で、かつ開口部を規定する外周縁部に設けられて、外箱の外側に突出して延びる第１の突条部を含み、蓋体は、第１の突条部と対向する位置に設けられた第２の突条部を含む。外箱の開口部を蓋体で塞いだ状態において、第１および第２の突条部が第１および第２の突条部の延びる方向に沿って密着する。
【００１１】
このように構成された屋外設置機器の筐体によれば、第１および第２の突条部が第１および第２の突条部の延びる方向に沿って密着しているため、屋外設置機器の筐体の上面側に降り注ぐ雨水が、外箱と蓋体との隙間から筐体内部に浸入することを防止することができる。また、第１および第２の突条部を密着させるため、第１または第２の突条部が一部となって形成する凹部に他方の突条部を嵌め合わせる構造とすれば、蓋体を外箱に固定する固定手段を上面側で省略することができる。これにより、製造コストを削減することができ、また屋外設置機器の筐体の美観が良くなる。
【００１２】
また好ましくは、外周縁部は、開口部を取り囲むように形成され、かつ開口部が設けられた側面から突出するように設けられたリブ状体により構成される。このように構成された屋外設置機器の筐体によれば、外箱の開口部における強度を向上させることができる。
【００１３】
また好ましくは、第１の突条部は、第１の突条部が設けられた外周縁部の一方端から他方端まで延びている。このように構成された屋外設置機器の筐体によれば、屋外設置機器の筐体の上面側に降り注ぐ雨水を外周縁部の両側面側に誘導することができる。外周縁部の両側面側に誘導された雨水は、重力により下方に導かれ排出されるため、筐体内部に雨水が浸入しない。
【００１４】
また好ましくは、第１または第２の突条部は、外箱の開口部を蓋体で塞ぐ時に、他方の突条部を案内する部分を含む。このように構成された屋外設置機器の筐体によれば、外箱の開口部を蓋体で塞ぐ時に一方の突条部は他方の突条部により案内されるため、スムーズに第１および第２の突条部を密着させた状態とすることができる。これにより、外箱に蓋体を取り付ける際の作業性が向上する。また、適切な位置に蓋体が取り付けられていないのに作業者が取り付けられたと勘違いし、その際に開いた隙間から雨水が筐体内部に浸入することを防止することができる。
【００１５】
また好ましくは、蓋体は、開口部と対向する面とは別の面に設けられて、蓋体を外箱に固定する第１の固定手段をさらに含む。このように構成された屋外設置機器の筐体によれば、第１の固定手段が筐体の正面側とは別の面に設けられているため、屋外設置機器の筐体の美観が良くなる。
【００１６】
また好ましくは、屋外設置機器は、保全作業を行なう必要がない本体部と、保全作業を行なう必要があるメンテナンス部とを備え、蓋体は、本体部を塞ぐ第１の部分と、メンテナンス部を塞ぐ第２の部分とを含む。このように構成された屋外設置機器の筐体によれば、屋外設置機器をメンテナンスする場合に、保全作業が必要なメンテナンス部を塞ぐ第２の部分のみを取り外して、必要な作業を行なうことができる。このため、作業時に埃などの異物が筐体内部に浸入することを防止できる。また、保全作業を行なう必要がない本体部に作業者が作業中誤って接触したり傷付けたりすることを防止できる。
【００１７】
また好ましくは、第１の部分を外箱に固定する第２の固定手段は、第２の部分によって覆われている。このように構成された屋外設置機器の筐体によれば、第１の部分を固定する第２の固定手段は、第２の部分によって覆われて外観上見えないため、筐体の美観を良くすることができる。また、第１および第２の部分は外箱を完全に塞ぐように互いが隣接しているため、このように第２の固定手段を第２の部分で覆うことが容易に可能となる。
【００１８】
また好ましくは、第２の部分は第１の部分より下方に設けられ、第１および第２の部分の各々は互いに対峙する先端部を有する。第２の部分の先端部は筐体の内部に向って曲げられて傾斜面を形成しており、第１の部分の先端部を延長した線上に傾斜面が位置する。このように構成された屋外設置機器の筐体によれば、第１の部分の外側表面から流れ落ちてきた雨水が、第１および第２の部分が対峙する位置に形成される隙間から筐体内部に浸入することを防止することができる。
【００１９】
また好ましくは、屋外設置機器はパワーコンディショナである。このように構成された屋外設置機器の筐体によれば、筐体に収められたパワーコンデショナを雨水、埃または衝撃といった外的要因から保護することができる。
【００２０】
【発明の実施の形態】
この発明の実施の形態について、図面を参照して説明する。
【００２１】
（実施の形態１）
図１は、この発明の実施の形態１におけるパワーコンディショナの筐体を示す斜視図である。図１を参照して、屋外に設置される太陽光発電システム用パワーコンディショナを収容する筐体１は、外箱２および蓋３を備える。外箱２および蓋３は金属材料により形成されている。また外箱２および蓋３は、筐体１の表面に段差が生じないように、互いの取り付け面の大きさが等しくなるように形成されており、筐体１の美観性の向上が図られている。
【００２２】
外箱２の側面２ｂには開口部４が設けられている。開口部４の周縁部分には、側面２ｂから突出するようにして外周縁部５が形成されている。外周縁部５の上面５ｍには、板部材７が上面５ｍの一方端１５から他方端１６にわたって設けられている。外周縁部５の底面５ｎには、蓋３を外箱２に止め付けるためのねじ孔８ｂが複数形成されている。なお、本実施の形態では開口部４の周縁部分に外周縁部５を形成し、この外周縁部５に板部材７を設けたが、外周縁部５を形成せず板部材７を開口部４を規定する側面２ｂの上面２ａ側に直接取り付けてもよい。また、蓋３を外箱２に止め付ける手段はねじによる場合に限られず、嵌め込みを用いた構造であっても良い。
【００２３】
蓋３の上面３ｍには、蓋３を外箱２に取り付けた状態において板部材７と対向する位置に板部材１０が設けられている。蓋３の底面３ｎには、蓋３を外箱２に取り付けた状態においてねじ孔８ｂと一致する位置に孔８ａが複数設けられている。
【００２４】
図２は、図１中のＩＩ−ＩＩ線上に沿った断面図である。図２を参照して、板部材７は、外周縁部５の上面５ｍから突出するように延びている。その後開口部４の方向に向って折れ曲がり案内部７ａを形成している。この際折れ曲がる角度２２は９０度より大きく、案内部７ａが傾斜した状態に形成されている。スポット溶接により板部材７が外周縁部５に取り付けられている。
【００２５】
図３は、図１中のＩＩＩ−ＩＩＩ線上に沿った断面図である。図３を参照して、板部材１０は、蓋３の上面３ｍから内側に突出するように延びている。スポット溶接により板部材１０が蓋３に取り付けられている。
【００２６】
図４は、図１中の筐体において、蓋が外箱に取り付けられた状態を示す断面図である。図４は、板部材７および１０が密着する部分の断面図を示している。図４を参照して、蓋３の裏面３ｐ、および裏面３ｐと向い合う板部材１０の面１０ｍにより凹部が形成されている。外周縁部５の端面５ｐ、および面１０ｍと向い合う板部材７の面７ｍにより凸部が形成されている。蓋３を外箱２に取り付けた状態において、このように形成される外箱２の凸部に蓋３の凹部が挿入される。その結果、板部材７の面７ｍおよび板部材１０の面１０ｍは密着した状態となる。また、板部材７および１０は、互いに対向して位置しその断面形状は一方端１５から他方端１６にわたって同一であるため、密着した状態は一方端１５から他方端１６にわたって実現される。
【００２７】
なお、板部材７および１０の面７ｍおよび１０ｍの密着度をより大きくするため、面７ｍまたは１０ｍに耐候性を有する防水パッキン部材を貼り合わせてもよい。防水パッキン部材を用いた場合には、面７ｍおよび１０ｍが互いの接触により傷付くことを防止できるという効果を有する。
【００２８】
図５は、図１中の筐体において、蓋を外箱に取り付けている過程を示す断面図である。図５に示す断面は図４に示す断面に相当する。図５を参照して、蓋３を外箱２に取り付ける場合、最初に板部材１０の端面１０ｎが案内部７ａの案内面７ｎに接触する。案内面７ｎは傾斜しているため、端面１０ｎは案内面７ｎから面７ｍにスムーズに案内される。この際、蓋３は案内面７ｎの傾きに合わせて傾いた状態で移動する。そして、蓋３の上面と外箱２の上面とが同一高さとなる状態において、蓋３の下方を外箱２に向けて押し込む。以上の作業により、蓋３を外箱２に取り付けて板部材７の面７ｍおよび板部材１０の面１０ｍを密着させることができる。
【００２９】
図６は、蓋を外箱に取り付けた状態において、図１中のＶＩ−ＶＩ線上に沿った断面図である。図６を参照して、外箱２および蓋３は、孔８ａおよびねじ孔８ｂを用いて、ねじ３１によって止め付けられている。また、外周縁部５の上面５ｍと蓋３の上面３ｍとの間には空間３２が形成されている。同様に側面側には空間３３が形成されている。筐体１に降り注いだ雨水は、外箱２の上面２ａと蓋３の上面３ｍとの隙間から外周縁部５の上面５ｍ上に浸入する。しかし、板部材７および１０は互いに密着しているため、雨水は外箱２の内部に浸入しない。雨水は、板部材７および１０の背面側に形成された空間３２を通り両側面に形成された空間３３に導かれる。その後、外周縁部５のコーナー部３４に設けられた図示しない蓋３との隙間から筐体１の外部に排出される。
【００３０】
図７は、図１中の筐体に収容される太陽光発電システム用パワーコンディショナの回路図である。図７を参照して、太陽光発電システム用パワーコンディショナは、入出力端子台５１および電力変換部５４を備える。電力変換部５４は、スイッチング素子などの主回路部品５２、およびマイコンなどの制御回路部品５３から構成されている。筐体１の外部には、直流電源５５、商用電力系統５７および家庭内電気負荷５６が形成されている。入出力端子台５１には、直流電源５５、商用電力系統５７および家庭内電気負荷５６からの配線、ならびに電力変換部５４からの配線が接続されている。筐体１内部の太陽光発電システム用パワーコンディショナは、入出力端子台５１を介してアース線５８によって大地に接地されている。
【００３１】
このように構成された太陽光発電システム用パワーコンディショナは、太陽電池によって生成され直流電源５５から出力された直流電力を、電力変換部５４で周波数５０／６０Ｈｚの交流電力に変換する。そしてその交流電力を商用電力系統５７または家庭内電気負荷５６に供給する。
【００３２】
図８は、図１中の外箱に収容された状態の太陽光発電システム用パワーコンディショナを示す正面図である。図８を参照して、電力変換部５４が外箱２の上方に、入出力端子台５１が外箱２の下方に取り付けられている。入出力端子台５１よりさらに下方には、入出力端子台５１からの配線を外部の直流電源５５、商用電力系統５７または家庭内電気負荷５６に導くための配線孔６１が複数設けられている。
【００３３】
この発明の実施の形態１に従った屋外設置機器の筐体としての太陽光発電システム用パワーコンディショナの筐体１は、開口部４が設けられた側面２ｂを有し、パワーコンディショナを収容する外箱２と、開口部４を塞ぐための蓋体としての蓋３とを備える。外箱２は、外箱２の上面２ａ側で、かつ開口部４を規定する外周縁部５に設けられて、外箱２の外側に突出して延びる第１の突条部としての板部材７を含み、蓋３は、板部材７と対向する位置に設けられた第２の突条部としての板部材１０を含む。外箱２の開口部４を蓋３で塞いだ状態において、板部材７および１０が板部材７および１０の延びる方向に沿って密着する。
【００３４】
外周縁部５は、開口部４を取り囲むように形成され、かつ開口部４が設けられた側面２ｂから突出するように設けられたリブ状体により構成される。板部材７は、板部材７が設けられた外周縁部５の一方端１５から他方端１６まで延びている。なお、板部材７と対向する位置に設けられた板部材１０も板部材７と同じ長さで形成されている。板部材７は、外箱２の開口部４を蓋３で塞ぐ時に、他方の板部材１０を案内する部分としての案内部７ａを含む。蓋３は、開口部４と対向する面とは別の面としての底面３ｎに設けられて、蓋３を外箱２に固定する第１の固定手段としての孔８ａをさらに含む。
【００３５】
なお、本実施の形態においては、本発明を太陽光発電システム用パワーコンディショナに適用したが、燃料電池などの直流電源を使用した他のシステム用パワーコンディショナに適用してもよい。
【００３６】
このように構成された太陽光発電システム用パワーコンディショナの筐体１によれば、板部材７および１０が一方端１５から他方端１６にわたって密着しているため、筐体１に降り注いだ雨水が外周縁部５の上面５ｍから外箱２の内部に浸入することを防止することができる。雨水は外周縁部５の両側面側から下方に導かれ排出されるため、筐体１に収容したパワーコディショナを雨水から保護することができる。また、蓋３および外箱２の止め付けを筐体１の底面側から行なっているため、止め付け部分が筐体１の正面側（開口部が設けられている側面２ｂ側）から見えない。このため、筐体１の美観を良くすることができる。さらに、外箱２が形成する凸部に蓋３が形成する凹部を挿入して、板部材７および１０が密着する状態を作り出しているため、筐体１の上方においてねじなどにより蓋３を外箱２に固定する必要がない。このため、蓋３を外箱２に止め付ける作業性および筐体１の美観性を向上させることができる。さらに、板部材７には案内部７ａが設けられているため、蓋３を外箱２にスムーズに取り付けることができる。これにより、蓋３を外箱２に取り付ける作業性を向上させることができる。また、適切な位置に蓋３が取り付けられていないのに作業者が取り付けられたと勘違いし、その際に開いた隙間から雨水が筐体１内部に浸入することを防止することができる。
【００３７】
（実施の形態２）
図９は、この発明の実施の形態２におけるパワーコンディショナの筐体を示す斜視図である。図９を参照して、太陽光発電システム用パワーコンディショナの筐体５０は、外箱６５および蓋６６を備える。蓋６６は、外箱６５の上方を塞ぐ蓋６６ａおよび外箱６５の下方を塞ぐ蓋６６ｂから構成されている。つまり、蓋６６ｂは蓋６６ａよりも地面から近い位置に設けられている。外箱６５は、蓋６６ａを取り付けるための止め付け板９１が設けられている点を除けば、実施の形態１における外箱２と同一である。
【００３８】
蓋６６ａには、蓋６６ｂと対峙する位置に止め付け板７１が設けられている。止め付け板７１には、長方形形状の切り欠き７２が複数箇所に形成されている。止め付け板７１の両端部には、蓋６６ａを外箱６５に止め付けるための孔７３が設けられている。板部材１０が設けられている点は、実施の形態１における蓋３と同様である。蓋６６ｂには、蓋６６ａの止め付け板７１に形成された切り欠き７２と対向する位置に鍵状部８１が形成されている。孔８ａが設けられている点は、実施の形態１における蓋３と同様である。
【００３９】
図１０は、図９中の筐体に収容された状態の太陽光発電システム用パワーコンディショナを示す正面図である。図１０を参照して、蓋６６ａは、パワーコンディショナを構成する電力変換部５４を塞ぐ。蓋６６ｂは、パワーコンディショナを構成する入出力端子台５１および配線孔６１を塞ぐ。取り付け工事時または定期点検での電圧および電流測定時などに、入出力端子台５１および配線孔６１で作業を行なう必要が生じる。入出力端子台５１および配線孔６１をメンテナンス部６２と呼ぶものとする。
【００４０】
図１１は、蓋を外箱に取り付けた状態において、図９中のＸＩ−ＸＩ線上に沿った断面図である。図１１は、蓋６６ａを外箱６５に止め付けている部分の詳細を示す。図１１を参照して、蓋６６ａおよび蓋６６ｂが対峙する位置において、蓋６６ａおよび６６ｂは先端部９５および９６を有する。蓋６６ｂの先端部９６では、蓋６６ａに近づくにつれて筐体５０の内部に向うように形成された傾斜面９４が設けられている。
【００４１】
外箱６５に設けられている止め付け板９１の裏面には、ナット９３がかしめられて取り付けられている。蓋６６ａを外箱６５に取り付けた状態において、止め付け板７１および９１は互いに面接触する。止め付け板７１に設けられた孔７３を介して、ねじ９２およびナット９３により蓋６６ａが外箱６５に止め付けられる。蓋６６ａを外箱６５に取り付けた後、蓋６６ｂを外箱６５に取り付ける。このとき、蓋６６ｂはねじ９２を覆った状態で取り付けられるので、筐体５０を正面側から見てねじ９２は蓋６６ｂによって隠れる。
【００４２】
図１２は、蓋を外箱に取り付けた状態において、図９中のＸＩＩ−ＸＩＩ線上に沿った断面図である。図１２を参照して、蓋６６ｂに設けられた鍵状部８１を蓋６６ａに設けられた切り欠き７２に挿入した状態で、蓋６６ｂを外箱６５に取り付ける。これにより、蓋６６ａおよび６６ｂの相対的な位置関係が固定され、蓋６６ａを伝って落ちる雨水が蓋６６ａと蓋６６ｂとの隙間から筐体５０内部に浸入することをより確実に防止できる。
【００４３】
なお、鍵状部８１と止め付け板７１との間に形成される空間９７を埋めるようにして、止め付け板７１の一方端から他方端に渡って防水パッキン部材（たとえばシリコーンゴム）を貼り付けても良い。このような防水パッキン部材を用いた場合、暴風雨時に雨水が地面に当たり上方へ跳ね返り筐体５０の底面から吹き上がるような条件においても、蓋６６ａと６６ｂとの隙間から雨水が浸入することを防ぐことができる。また、外箱６５を蓋６６ａおよび６６ｂで塞いだ状態において、図９に示す外周縁部５の上下方向に延びる端面５ｂと向い合う蓋６６ａおよび６６ｂの裏面部分に、防水パッキン部材を貼り付けても良い。このような防水パッキン部材を用いた場合、暴風雨時に雨水が建造物に当たり跳ね返って筐体５０の両側面後方から吹きこむような条件においても、蓋６６ａおよび６６ｂと外周縁部５との隙間から雨水が浸入することを防ぐことができる。
【００４４】
この発明の実施の形態２に従った太陽光発電システム用パワーコンディショナの筐体５０では、パワーコンディショナは、保全作業を行なう必要がない本体部としての電力変換部５４と、保全作業を行なう必要があるメンテナンス部６２とを備え、蓋６６は、電力変換部５４を塞ぐ第１の部分としての蓋６６ａと、メンテナンス部６２を塞ぐ第２の部分としての蓋６６ｂとを含む。
【００４５】
蓋６６ａを外箱６５に固定する第２の固定手段としてのねじ９２は、蓋６６ｂによって覆われている。
【００４６】
蓋６６ｂは蓋６６ａより下方に設けられ、蓋６６ａおよび６６ｂの各々は互いに対峙する先端部９５および９６を有する。蓋６６ｂの先端部９６は筐体５０の内部に向って曲げられて傾斜面９４を形成しており、蓋６６ａの先端部９５を延長した線上に傾斜面９４が位置する。
【００４７】
なお、実施の形態１および２では筐体１および５０に収容する屋外設置機器としてパワーコンディショナを適用したが、屋外設置機器は通信機器または他の電気機器などであってもよい。また、たとえば屋外設置機器にオイルクーラーを適用した場合には、実施の形態２におけるメンテナンス部は潤滑油供給口、温度調節パネル、またはエアフィルタ交換部に、本体部はオイルを冷却する冷却部などに該当する。
【００４８】
このように構成された太陽光発電システム用パワーコンディショナの筐体５０によれば、筐体５０はメンテナンス部６２のみを塞ぐ蓋６６ｂを備えているため、パワーコンディショナのメンテナンスを行なう場合に蓋６６ｂを取り外して作業を行なうことができる。これにより、作業者が作業中誤って電力変換部５４に接触したり傷付けたりすることを防止できる。また、作業中に埃などの異物が筐体５０内部に浸入することを防止することができる。さらに、ねじ９２は蓋６６ｂによって覆われているため、筐体５０の正面側から見た美観を良くすることができる。さらに、蓋６６ｂは傾斜面９４を有しているため、蓋６６ａの表面を伝って落ちる雨水が蓋６６ａの先端部９５と蓋６６ｂの先端部９６との隙間から筐体５０内部に浸入することを防止できる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５０】
【発明の効果】
以上説明したように、この発明に従えば、屋外設置機器を雨水または埃などの外的要因から有効に防ぎ、かつ美観性およびメンテナンス時の作業性に優れた屋外設置機器の筐体を提供することができる。
【図面の簡単な説明】
【図１】この発明の実施の形態１におけるパワーコンディショナの筐体を示す斜視図である。
【図２】図１中のＩＩ−ＩＩ線上に沿った断面図である。
【図３】図１中のＩＩＩ−ＩＩＩ線上に沿った断面図である。
【図４】図１中の筐体において、蓋が外箱に取り付けられた状態を示す断面図である。
【図５】図１中の筐体において、蓋を外箱に取り付けている過程を示す断面図である。
【図６】蓋を外箱に取り付けた状態において、図１中のＶＩ−ＶＩ線上に沿った断面図である。
【図７】図１中の筐体に収容される太陽光発電システム用パワーコンディショナの回路図である。
【図８】図１中の外箱に収容された状態の太陽光発電システム用パワーコンディショナを示す正面図である。
【図９】この発明の実施の形態２におけるパワーコンディショナの筐体を示す斜視図である。
【図１０】図９中の筐体に収容された状態の太陽光発電システム用パワーコンディショナを示す正面図である。
【図１１】蓋を外箱に取り付けた状態において、図９中のＸＩ−ＸＩ線上に沿った断面図である。
【図１２】蓋を外箱に取り付けた状態において、図９中のＸＩＩ−ＸＩＩ線上に沿った断面図である。
【図１３】従来技術の屋外設置パワーコンディショナの筐体を示す斜視図である。
【図１４】図１３中の外箱に収容された屋外設置パワーコンディショナを示す正面図である。
【符号の説明】
１，５０　筐体、２，６５　外箱、２ａ　上面、２ｂ　側面、３，６６，６６ａ，６６ｂ　蓋、３ｎ　底面、４　開口部、５　外周縁部、７，１０　板部材、７ａ　案内部、８ａ　孔、１５　一方端、１６　他方端、５４　電力変換部、６２　メンテナンス部、９２　ねじ、９４　傾斜面、９５，９６　先端部。
【図１】
2004031481.tif 000003
【図２】
2004031481.tif 000004
【図３】
2004031481.tif 000005
【図４】
2004031481.tif 000006
【図５】
2004031481.tif 000007
【図６】
2004031481.tif 000008
【図７】
2004031481.tif 000009
【図８】
2004031481.tif 000010
【図９】
2004031481.tif 000011
【図１０】
2004031481.tif 000012
【図１１】
2004031481.tif 000013
【図１２】
2004031481.tif 000014
【図１３】
2004031481.tif 000015
【図１４】
2004031481.tif 000016